(57)【要約】      （修正有）【課題】角筒形状の角数を選択的に変更することができる卓上表示体を提供する。【解決手段】他端側の表示板６と補助板との間の折り曲げ部ｆに設けられ係止片が係合可能なスリット状の第一の係合スリットｋ１と、他端側の表示板６と他端側の表示板６に隣接する他の表示板５との間の折り曲げ部ｆに設けられ係止片が係合可能なスリット状の第二の係合スリットｋ２とを備えてなる卓上表示体Ａであり、係止片が、第一の係合スリットｋ１又は第二の係合スリットｋ２に選択的に係合し得る構成にした。【選択図】図１
0003175381.tif 000002
【実用新案登録請求の範囲】
【請求項１】
単一の紙製シートを折り曲げて形成され、天板等の載置面に対して多角筒状に起立する卓上表示体であって、
表裏面に表示領域を有した平板状の表示板を四枚以上有し、これら表示板が上下方向に延びる折り曲げ部を介して横方向に連設された表示体本体と、この表示体本体における一端側の表示板の外側縁から突出した片状の係止片と、前記表示体本体における他端側の表示板から折り曲げ部を介して連設された板状の補助板とを具備してなり、
前記他端側の表示板と前記補助板との間の折り曲げ部に設けられ前記係止片が係合可能なスリット状の第一の係合スリットと、前記他端側の表示板と前記他端側の表示板に隣接する他の表示板との間の折り曲げ部に設けられ前記係止片が係合可能なスリット状の第二の係合スリットとを備えてなり、
前記係止片が、前記第一の係合スリット又は第二の係合スリットに選択的に係合し得ることを特徴とする卓上表示体。
【請求項２】
前記表示体本体が、前記一端側の表示板である第一の表示板、第二の表示板、第三の表示板、第四の表示板、第五の表示板、及び前記他端側の表示板である第六の表示板の順に前記折り曲げ部を介して横方向に連設されてなるものであり、
前記第二の表示板と前記第三の表示板との間の折り曲げ部と、前記第三の表示板と前記第四の表示板との間の折り曲げ部と、前記第四の表示板と前記第五の表示板との間の折り曲げ部のそれぞれに、前記係止片が係合可能なスリット状の係合スリットを更に形成している請求項１記載の卓上表示体。
【請求項３】
前記表示板の表裏面に印刷表示が施されている請求項１又は２記載の卓上表示体。
【請求項４】
前記表示板の表裏面に印刷表示が施されているものであり、前記表示板に施された印刷表示が、カレンダー情報を有している請求項１、２又は３記載の卓上表示体。
【請求項５】
前記表示板の下縁部分が一部切り欠いて形成されている請求項１、２、３又は４記載の卓上表示体。
【請求項６】
前記表示板の上縁部分が半円弧状に形成されている請求項１、２、３、４又は５記載の卓上表示体。
【請求項７】
前記各表示板が、略同一形状に形成されている請求項１、２、３、４、５又は６記載の卓上表示体。
【考案の詳細な説明】
【技術分野】
【０００１】
本考案は、単一の紙製シートを折り曲げて係合させることにより形成され、家具の天板上に載置されて使用される卓上表示体に関する。
【背景技術】
【０００２】
従来から、天板等の載置面に対し多角筒状に起立する卓上表示体が知られている（例えば、特許文献１参照）。この種の卓上表示体は、いわゆるポップスタンドや飲食店の簡易メニュー等として好適に用いられており、三角筒状や四角筒状の形状をなして起立しているものが代表的である。
【０００３】
ところが、従来のものは糊付け等により所定の角筒形状に確定的に形成されたものであるため、一定の角筒形状から異なる角数の角筒形状に変更することができない。より具体的に例を挙げれば、例えば、従来の三角筒状の卓上表示体は、その三角筒状の形状が不可避的に維持され、四角筒状のものに変更することができず、逆に、従来の四角筒状の卓上表示体は、その四角筒状の形状が不可避的に維持され、三角筒状のものに変更することができなかった。
【先行技術文献】
【特許文献】
【０００４】
【特許文献１】特開２００７−３３８０１号公報
【考案の概要】
【考案が解決しようとする課題】
【０００５】
本考案は、以上の事情に着目してなされたものであり、角筒形状の角数を選択的に変更することができる卓上表示体を提供することを目的としている。
【課題を解決するための手段】
【０００６】
すなわち、本考案の卓上表示体は次の構成をなすものである。
【０００７】
請求項１に記載の卓上表示体は、単一の紙製シートを折り曲げて形成され、天板等の載置面に対して多角筒状に起立する卓上表示体であって、表裏面に表示領域を有した平板状の表示板を四枚以上有し、これら表示板が上下方向に延びる折り曲げ部を介して横方向に連設された表示体本体と、この表示体本体における一端側の表示板の外側縁から突出した片状の係止片と、前記表示体本体における他端側の表示板から折り曲げ部を介して連設された板状の補助板とを具備してなり、前記他端側の表示板と前記補助板との間の折り曲げ部に設けられ前記係止片が係合可能なスリット状の第一の係合スリットと、前記他端側の表示板と前記他端側の表示板に隣接する他の表示板との間の折り曲げ部に設けられ前記係止片が係合可能なスリット状の第二の係合スリットとを備えてなり、前記係止片が、前記第一の係合スリット又は第二の係合スリットに選択的に係合し得ることを特徴とする。
【０００８】
ここで、「載置面」とは、広告表示体が載置される比較的水平な上向き面であり、例えば、机、テーブル、棚、保管庫等の家具における天板の面等が該当する。
【０００９】
請求項２に記載の卓上表示体は、請求項１に係る構成において、前記表示体本体が、前記一端側の表示板である第一の表示板、第二の表示板、第三の表示板、第四の表示板、第五の表示板、及び前記他端側の表示板である第六の表示板の順に前記折り曲げ部を介して横方向に連設されてなるものであり、前記第二の表示板と前記第三の表示板との間の折り曲げ部と、前記第三の表示板と前記第四の表示板との間の折り曲げ部と、前記第四の表示板と前記第五の表示板との間の折り曲げ部のそれぞれに、前記係止片が係合可能なスリット状の係合スリットを更に形成しているものである。
【００１０】
請求項３に記載の卓上表示体は、請求項１又は２に係る構成において、前記表示板の表裏面に印刷表示が施されているものである。
【００１１】
請求項４に記載の卓上表示体は、請求項１、２又は３に係る構成において、前記表示板の表裏面に印刷表示が施されているものであり、前記表示板に施された印刷表示が、カレンダー情報を有しているものである。
【００１２】
請求項５に記載の卓上表示体は、請求項１、２、３又は４に係る構成において、前記表示板の下縁部分が一部切り欠いて形成されているものである。
【００１３】
請求項６に記載の卓上表示体は、請求項１、２、３、４又は５に係る構成において、前記表示板の上縁部分が半円弧状に形成されているものである。
【００１４】
請求項７に記載の卓上表示体は、請求項１、２、３、４、５又は６に係る構成において、前記各表示板が、略同一形状に形成されているものである。
【考案の効果】
【００１５】
以上説明したように本考案によれば、角筒形状の角数を選択的に変更することができる卓上表示体を提供することができる。
【図面の簡単な説明】
【００１６】
【図１】本考案の一実施形態を示す斜視図。
【図２】同実施形態における斜視図。
【図３】同実施形態における斜視図。
【図４】同実施形態における斜視図。
【図５】同実施形態における斜視図。
【図６】同実施形態における斜視図。
【図７】同実施形態における斜視図。
【図８】本実施形態における卓上表示体の展開図。
【考案を実施するための形態】
【００１７】
以下、本考案の一実施形態を、図１〜図８を参照して説明する。
【００１８】
この実施形態は、本考案である卓上表示体を、机の天板等の載置面Ｆ上に載置されて用いられる卓上カレンダーＡに適用した場合のものである。
【００１９】
卓上カレンダーＡは、その全体を、図８に示されるような所定の形状に切り抜かれてなる単一（１枚）の紙製シートＰを複数箇所で折り曲げ、係止片ｓを所定箇所に形成された係合スリットｋ１、ｋ２、ｋ３、ｋ４、ｋ５に挿通させて係わり合わせることにより形成される。
【００２０】
また、この卓上カレンダーＡは、糊等の接着剤を一切使用することなく作られるものである。紙製シートＰは、表裏面すなわち両面に印刷表示ｉが施されており、本実施形態では、印刷表示ｉがカレンダー情報を有している。紙製シートＰは、両面にいわゆるＰＰ加工が施されてあり、強度と耐久性に優れたものである。以下、詳述する。
【００２１】
卓上カレンダーＡは、単一の紙製シートＰを折り曲げて形成され、天板等の載置面Ｆに対して多角筒状に起立するものである。なお、図１は、載置面Ｆに対して略直交する方向に六角筒状に起立した態様の卓上カレンダーＡを示している。図３は、載置面Ｆに対して略直交する方向に五角筒状に起立した態様の卓上カレンダーＡを示している。図５に示すものは、載置面Ｆに対して略直交する方向に四角筒状に起立した態様の卓上カレンダーＡを示している。図６に示すものは、載置面Ｆに対して略直交する方向に三角筒状に起立した態様の卓上カレンダーＡを示している。図７に示すものは、載置面Ｆに対して略直交する方向に四角筒状に起立した筒状部分ＴＢとこの筒状部分ＴＢの外側に連続して形成され載置面Ｆに対して板状ないし壁状に起立してなる板状部分ＩＢとを備えた態様の卓上カレンダーＡを示している。
【００２２】
本実施形態における卓上カレンダーＡは、表裏面に適宜の方法で文字や絵図を表示可能な表示領域を有した六枚の平板状の表示板１〜６、すなわち、第一の表示板１、第二の表示板２、第三の表示板３、第四の表示板４、第五の表示板５、第六の表示板６を有し、これら第一〜第六の表示板１〜６が上下方向に延びる折り曲げ部ｆを介して横方向に連設された表示体本体Ｈと、この表示体本体Ｈにおける一端側の表示板たる第一の表示板１の外側縁から突出した片状の係止片ｓと、前記表示体本体Ｈにおける他端側の表示板たる第六の表示板６から折り曲げ部ｆを介して連設された板状の補助板ｊとを具備してなる。上下に延びる折り曲げ部ｆは、各表示板１〜６の下端縁に対して略直交する方向に延びるもので、隣接する表示板１〜６の各側端縁同士の間、及び、表示板１の外側端縁と係止片ｓとの間、並びに、表示板６の外側端縁と補助板ｊとの間に設けられ、当該部分から紙製シートＰを折り曲げることができるようになっている。
【００２３】
表示体本体Ｈは、角筒状の外壁を構成するもので、一端側の表示板である第一の表示板１、第二の表示板２、第三の表示板３、第四の表示板４、第五の表示板５、及び他端側の表示板である第六の表示板６の順に折り曲げ部ｆを介して横方向に連設されてなる。なお、図８の展開図では、同図における左側から右側に向かって順に第一の表示板１、第二の表示板２、第三の表示板３、第四の表示板４、第五の表示板５、第六の表示板６が連続して配されている。
【００２４】
各表示板１〜６は、平板状のもので、各表示板１〜６の下縁部分ｋｅが、それぞれ左右方向中央部分を一部切り欠いて形成されるとともに、その左右両側の下端縁が載置面Ｆに接するようになっている。また、各表示板１〜６の上縁部分ｊｅは半円弧状に形成されている。
【００２５】
各表示板１〜６は、それぞれ略同一形状に形成されているが、より詳しく言えば、第四〜第六の表示板４〜６の幅寸法は、第一〜第三の表示板の幅寸法よりも若干短い寸法に設定されている。これは、組立時に内側に位置する可能性がある第四〜第六の表示板４〜６が、外側に位置することとなる第一〜第三の表示板１〜３に干渉することを抑制するためである。
【００２６】
係止片ｓは、第一の表示板１の外側端縁から突設された舌形状のもので、各係合スリットｋ１〜ｋ５への挿入をスムーズに行えるようにするため先端側を丸みのある形状に形成されたものである。係止片ｓの基端側には、短寸のスリットである基端スリットｓ１が形成され、係止片ｓを各係合スリットｋ１〜ｋ５に挿通した後の係合の確実性を確保している。
【００２７】
補助板ｊは、第六の表示板６の外側端縁から折り曲げ部を介して連設された四角形をなした板状のものである。補助板ｊは、第六の表示板６との境界部分に係止片ｓが挿通可能な第一の係合スリットｋ１を形成するために設けられたものであり、第一〜第六の表示板１〜６と比べて小面積に設定されている。
【００２８】
しかして、本実施形態の卓上カレンダーＡは、第二の表示板２と第三の表示板３との間、第三の表示板３と第四の表示板４との間、第四の表示板４と第五の表示板５との間、第五の表示板５と第六の表示板６との間、第六の表示板６と補助板ｊとの間に位置する各折り曲げ部ｆにそれぞれ係止片ｓが挿通されて係合可能なスリット状の係合スリットｋ５、ｋ４、ｋ３、ｋ２、ｋ１を形成している。換言すれば、この卓上カレンダーＡは、補助板ｊと他端側の表示板たる第六の表示板６の間に設けられた第一の係合スリットｋ１と、第六の表示板６と他端側の表示板６に隣接する他の表示板たる第五の表示板５の間に設けられた第二の係合スリットｋ２と、第五の表示板５と第四の表示板４の間に設けられた第三のスリットｋ３と、第四の表示板４と第三の表示板３の間に設けられた第四のスリットｋ４と、第三の表示板３と第二の表示板２の間に設けられた第五のスリットｋ５とを備えている。各スリットｋ１〜ｋ５は、用紙Ｐに直線状の切目を入れて作られている。
【００２９】
以上、詳述したように、本実施形態に示す卓上カレンダーＡは、係止片ｓを、前述した第一の係合スリットｋ１、第二の係合スリットｋ２、第三の係合スリットｋ３、第四の係合スリットｋ４、第五の係合スリットｋ５の何れかに選択的に係合し得るようにしているため、載置面Ｆに対して起立する角筒形状の角数を任意に変更可能にしている。より具体的には、三角筒状のものから六角筒状のものの間で可変に形成することができるようになっている。なお、基本的な組み立て例としては次の通りである。
【００３０】
≪六角筒状の卓上カレンダーＡ≫
係止片ｓを第一の係合スリットｋ１に係合させた場合には、第一〜第六の表示板１〜６を主体にして、すなわち、第一〜第六の表示板１〜６により外壁を形成して図１に示すような六角筒状の卓上カレンダーＡを形成することができる。
【００３１】
≪五角筒状の卓上カレンダーＡ≫
係止片ｓを第二の係合スリットｋ２に係合させた場合には、第一〜第五の表示板１〜５を主体にして、すなわち、第一〜第五の表示板１〜５により外壁を形成して図３に示すような五角筒状の卓上カレンダーＡを形成することができる。
【００３２】
≪四角筒状の卓上カレンダーＡ≫
係止片ｓを第三の係合スリットｋ３に係合させた場合には、第一〜第四の表示板１〜４を主体にして、すなわち、第一〜第四の表示板１〜４により外壁を形成して図５に示すような四角筒状の卓上カレンダーＡを形成することができる。
【００３３】
≪三角筒状の卓上カレンダーＡ≫
係止片ｓを第四の係合スリットｋ４に係合させた場合には、第一〜第三の表示板１〜３を主体にして、すなわち第一〜第三の表示板１〜３により外壁を形成して図６に示すような三角筒状の卓上カレンダーＡを形成することができる。
【００３４】
≪その他≫
第一の表示板１を第二の表示板２に対して重なり合うように折り曲げ、係止片ｓを第五のスリットｋ５に挿通させた場合には、第二の表示板２と第三の表示板の間から係止片ｓが突出することになる。この係止片ｓを例えば第一の係合スリットｋ１又は第二の係合スリットｋ２に係わり合わせて任意の角筒形状の角数の卓上カレンダーＡを形成することができる。すなわち、この実施形態において、第五の係合スリットｋ５は、他の係合スリットｋ１〜ｋ４と異なる用途として用いられている。つまり、第五の係合スリットｋ５は、第一、第二の表示板１、２を実質的に省略させて第三の表示体３における第二の表示体２側の側端縁から係止片ｓを突出させるための中間的な挿通孔として機能しているものである。このような態様に無理なく対応するため、第一の表示板１の横幅寸法は、第二の表示板２の横幅寸法よりも僅かに短く設定されているとともに、第五の係合スリットｋ５の寸法は、他の係合スリットｋ１〜ｋ４よりも若干長く設定されている。
【００３５】
以上に説明したように、本実施形態の卓上カレンダー（卓上表示体）Ａは、単純な角筒形状を形成する基本形状として、外方に３つの表示板の各片側面を表出させている３面パターン（三角筒状）から、外方に６つの表示板１〜６の各片側面を表出させている６面パターン（六角筒状）の間で、上述した組み立て方法を適宜用いて、任意の角数の角筒形状を形成することができるとともに任意に角筒形状の角数を変更することができる。このため、本実施形態の卓上カレンダーＡは、各表示体１〜６の印刷表示ｉを表示させる態様、すなわち表示パターンに多様性があり、片側面を外方に表出させた態様だけでも少なくとも８種類の表示パターンを有している。結果として、本実施形態の卓上カレンダーＡは、表裏あわせて少なくとも１６種類の基本形状の表示パターンを構成することが可能になっている。
【００３６】
ところで、本実施形態の卓上カレンダー（卓上表示体）Ａは、上述した基本形状の組み立て方法と異なる変形的な組み立て方法も行うことができ、例えば、見栄えを損ねることなく角筒形状の角筒部分ＴＢと板状に起立する板状部分ＩＢとを共存させた構成（以下、説明の便宜上、「変形形状」という）をとることも可能である。
【００３７】
ここで、図７は、変形形状の一例として、四角筒形状の角筒部分ＴＢと板状に起立する板状部分ＩＢとを共存させた卓上カレンダーＡを示している。このものは、第一の表示板１を第二の表示板２に対して重なり合うように折り曲げ、係止片ｓを第五のスリットｋ５に挿通させて第二の表示板２と第三の表示板の間から係止片ｓを突出させて、第一の表示板１と第二の表示板２とによって板状部分ＩＢを形成している。さらに、第二の表示板２と第三の表示板３との間から係止片ｓを突出させた後に、この係止片ｓを第六の表示板６と補助板ｊとの間に形成された第一の係合スリットｋ１に係わり合わせている。
【００３８】
第一の係合スリットｋ１を形成する第六の表示板６は、第二の表示板２に連続する第三の表示板３、第四の表示板４、第五の表示板５とともに四角筒状の角筒部分ＴＢを形成している。しかして、図７に示すものは、第一の表示板１と第二の表示板２を重なり合わせてなる板状部分ＩＢを筒状部分ＴＢの外側に位置させた構成にしている。以上のようにして、四角筒形状の角筒部分ＴＢと板状に起立する板状部分ＩＢとを共存させた変形形状の卓上カレンダーＡを形成している。
【００３９】
このようなものであれば、各表示体１〜６に設けられた印刷表示ｉの見せ方に変化を与えることができ、見る者の興味を喚起させることができる。なお、上述した変形形状においては、片側面を外方に表出させた態様だけでも少なくとも４種類の表示パターンを有している。結果として、本実施形態の卓上カレンダーＡは、表裏あわせて少なくとも８種類の変形形状の表示パターンを構成することが可能になっている。
【００４０】
卓上カレンダーＡは、上述した典型的な基本形状及び変形形状の表示パターンの他にも、種々の表示パターンを構成することができるようになっており、６枚の表示板１〜６からなる表示板本体Ｈを有した卓上カレンダーＡでは、全部で少なくとも２８種類の表示パターンを構成することができるようになっている。
【００４１】
各表示板１〜６の表裏面に印刷表示ｉが施されており、表裏面を逆転させることにより、種々の表示を外側に表出させることができる。特に、本実施形態のものは、各表示板１〜６に施された印刷表示ｉが、カレンダー情報を有しているものであり、表裏面に１２の表示面を有した表示体本体Ｈを効果的に利用することができるものとなっている。
【００４２】
各表示板１〜６の下縁部分ｋｅが一部切り欠いて形成されているため、載置面Ｆに接する領域が少なくなっており、載置面Ｆが濡れていた場合でも、影響を僅少にすることができる。また、各表示板１〜６の上縁部分ｊｅが半円弧状に形成されているため、デザイン性が向上し、使用者の快適な利用に寄与するものとなっている。更に、各表示板１〜６は、略同一形状に形成されているので、全体的なバランスに優れたものとなっている。
【００４３】
ところで、以上の構成をなす卓上カレンダーＡを形成する紙製シートＰに対しては適宜の印刷表示を施すことができ、一般的に多枚数を纏めて印刷するのに用いられるいわゆるオフセット印刷と称される印刷方式の他、１枚のみの印刷にも柔軟に対応可能ないわゆるオンデマンド印刷と称される印刷方式が用いられる。また、一般に矩形をなした所定サイズに規格化された印刷用の紙製用紙から、所望の形状を有した卓上カレンダーＡを形成する部分を切り抜くための方策としては、一般的なプレス式の裁断装置等を用いて複数枚を纏めて切断する方式のみに限られず、カッティング装置を用いて１枚だけを切断する方式も採用することができる。このため、本実施形態に係る卓上カレンダーＡを得るために、オンデマンド印刷の印刷方式と、カッティング装置による切断の方式とを組み合わせて利用することができ、少数の要望に対しても柔軟に対応することができるようになっている
なお、本考案は、以上に詳述した実施形態に限られるものではない。
【００４４】
卓上表示体は、本実施形態に示すような卓上カレンダーに限定されるものではない。卓上表示体には種々のものがあり、例えば、商品の購買促進に用いられるポップ（ＰＯＰ）スタンドとして用いてもよいし、飲食店等のメニューとして用いてもよい。
【００４５】
表示板の枚数は四枚以上のものであれば良く、五枚の表示板により構成するようにしてもよいし、七枚以上の表示板で構成されたものであっても構わない。表示板の枚数の設定が増えれば増えるほど、多様な表示パターンを形成することができるのはもちろんのことである。しかしながら、本実施形態に示したような六枚の表示板で構成した卓上表示体であれば、三角筒状のものから六角筒状のものまで、型崩れの影響を抑えつつ、種々の角筒形状の角数を形成することができる。
【００４６】
その他、各部の具体的構成についても上記実施形態に限られるものではなく、本考案の趣旨を逸脱しない範囲で種々変形が可能である。
【符号の説明】
【００４７】
１〜６…表示板（第一、第二、第三、第四、第五、第六の表示板）
ｆ…折り曲げ部
ｉ…印刷表示
ｊ…補助板
ｊｅ…上縁部分
ｋ１〜ｋ５…係合スリット（第一、第二、第三、第四、第五の係合スリット）
ｋｅ…下縁部分
ｓ…係止片
ｓ１…基端スリット
Ａ…卓上表示体（卓上カレンダー）
Ｆ…載置面
Ｈ…表示体本体
Ｐ…紙製シート
【図１】
0003175381.tif 000003
【図２】
0003175381.tif 000004
【図３】
0003175381.tif 000005
【図４】
0003175381.tif 000006
【図５】
0003175381.tif 000007
【図６】
0003175381.tif 000008
【図７】
0003175381.tif 000009
【図８】
0003175381.tif 000010